(57)【要約】      （修正有）【課題】触れることなく紙パック開封口の開口・閉鎖作業を行うことができる紙パック開封口開閉具を提供する。【解決手段】紙パック３１の開封口開口手段は、ホルダー１の前方に紙パックの開封口左右端部３３の保持部材１２を配設し、ホルダー１の後部に保持部材１２を前後動させる第１操作部１０を取り付け、保持部材１２と第１操作部１０の間に第１操作部１０の作動を前記保持部材１２に伝導して保持部材１２を前後動させる第１伝導部１１を介在させて構成する。紙パック３１の開封口閉鎖手段は、ホルダー１の前方に、紙パック開封口３２前方から開封口３２を押し込む開封口押し込み部材２２を配設し、ホルダー１の後部に押し込み部材２２を前後動させる第２操作部２０を取り付け、押し込み部材２２と第２操作部２０との間に第２操作部２０の作動を押し込み部材２２に伝導して押し込み部材２２を前後動させる第２伝導部２１を介在させて構成する。【選択図】図１
2006016054.tif 000002
【特許請求の範囲】
【請求項１】
紙パックに着脱自在に装着されるホルダーに紙パックの開封口開口手段と開封口閉鎖手段とを設けてなり、
前記紙パックの開封口開口手段は、前記ホルダーの前方に、紙パックの開封口左右端部を保持する保持部材を配設し、前記ホルダーの後部に前記保持部材を前後に移動させるための操作を行う第１操作部を取り付け、前記保持部材と第１操作部の間に前記第１操作部の作動を前記保持部材に伝導して前記保持部材を前後に移動させる第１伝導部を介在させて構成し、
前記紙パックの開封口閉鎖手段は、前記ホルダーの前方に、開口している紙パック開封口前方から開封口を押し込み部材を配設し、前記ホルダーの後部に前記押し込み部材を前後に移動させるための操作を行う第２操作部を取り付け、前記押し込み部材と第２操作部との間に前記第２操作部の作動を前記押し込み部材に伝導して前記押し込み部材を前後に移動させる第２伝導部を介在させて構成した紙パック開封口開閉具
【請求項２】
前記紙パックに着脱自在に装着されるホルダーの背部には持ち手が配設され、前記第１操作部及び第２操作部は前記持ち手の近くに設けられたレバーとして請求項１記載の紙パック開封口開閉具
【発明の詳細な説明】
【技術分野】
【０００１】
この発明は、牛乳パックなどの紙パックに装着され、紙パック開封口の開閉に用いられる紙パック開封口開閉具に関するものである。
【背景技術】
【０００２】
従来、一般家庭において牛乳パックなどの紙パックの開封口の開閉を行う際には、たとえば片手で紙パックを持ち、もう一方の手で紙パック開封口を開けることにより行っていた。また、紙パックをテーブルなどの上に置いて片手で紙パックを押さえ（または押さえることなしに）、もう一方の手で開封口の開閉を行っていた。
【０００３】
しかし、このような方法では手に障害がある者が容易に紙パック開封口の開閉を行うことができない。また、テーブルなどの上に置いて開閉を行う場合には、片手で行うこともできるが、この場合には開閉の際に紙パックが安定せず中身をこぼすおそれがある。
また、喫茶店などでは迅速な開口・閉鎖作業が求められており、また、衛生上も人手で開口部を操作することは好ましくない。
【特許文献１】特開２００２−２１１５７６
【０００４】
上記特許文献の発明は、紙パックホルダーに上下方向に回動自在なクリップを取り付け、このクリップにより開封口を封止するようにしたものである。この発明によれば、閉鎖された開封口を封止して中身のこぼれや異物の混入を防止することはできるが、開封口の開口・閉鎖作業自体は開封口を直接操作して行わなければならないという問題があった。
【発明の開示】
【発明が解決しようとする課題】
【０００５】
この発明は、手で開封口に触れることなく紙パック開封口の開口・閉鎖作業を行うことができる紙パック開封口開閉具を得ることを課題とする。
【課題を解決するための手段】
【０００６】
この発明は、紙パックに着脱自在に装着されるホルダーに紙パックの開封口開口手段と開封口閉鎖手段とを設けて構成する。前記紙パックの開封口開口手段は、前記ホルダーの前方に、紙パックの開封口左右端部を保持する保持部材を配設し、前記ホルダーの後部に前記保持部材を前後に移動させるための操作を行う第１操作部を取り付け、前記保持部材と第１操作部の間に前記第１操作部の作動を前記保持部材に伝導して前記保持部材を前後に移動させる第１伝導部を介在させて構成する。前記紙パックの開封口閉鎖手段は、前記ホルダーの前方に、開口している紙パック開封口前方から開封口を押し込む開封口押し込み部材を配設し、前記ホルダーの後部に前記押し込み部材を前後に移動させるための操作を行う第２操作部を取り付け、前記押し込み部材と第２操作部との間に前記第２操作部の作動を前記押し込み部材に伝導して前記押し込み部材を前後に移動させる第２伝導部を介在させて構成する。
【０００７】
前記ホルダーは、その背部には持ち手を配設し、前記第１操作部及び第２操作部はレバーとして、これを前記持ち手の近くに設けることが好ましい。
【０００８】
前記保持部材の具体的な構造としては、開封口左右端部を係止することができる係止部材、開封口左右端部を把持することができる把持部材、あるいは開封口左右端部に着脱自在に粘着できる粘着部材または着脱自在に吸着できる吸盤などが考えられる。
【０００９】
前記第１伝導部は、第１操作部と保持部材とを連結し、第１操作部の動きを保持部材に伝導するものであればよい。例えばワイヤーや合成樹脂製の紐やテープなどが考えられる。また、保持部材の第１伝導部とは一体成型品とすることもできる。前記第１操作部を操作すると前記ワイヤーが後方に引っ張られたり、前方に押し出されたりすることが必要なので、第１伝導部はそれに耐える剛性のあるものとする。なお、第１伝導部にはギヤを組み込むこともできる。
【００１０】
第１操作部は、前記保持部材を前後方向に移動させる操作が可能な構造であればよい。例えばレバー、回転ホイール、ボタンなどが考えられる。
第１操作部にレバーを用いた場合、レバーを操作することにより保持部材が後方へ移動し、レバーを原位置に復帰させることにより保持部材が前方へ移動するようにする。
第１操作部に回転ホイールを用いた場合、この回転ホイルとかみ合うラックギアを横向きに配設し、ラックギアの横方向に移動を保持部材に伝えるようにする。第１操作部にボタンを用いた場合、ボタンの移動量を１５〜２０ミリ程度とし、ボタンを押したときに前記保持部材が後方へ移動するように、ボタンの移動方向と保持部材の移動方向が逆向きとなるようにギアで移動方向を変換する。
【００１１】
前記押し込み部材は、開口状態にある紙パックの開封口前面を後方へ押し込むものであり、その形状は棒状、球状などが考えられる。
前記第２伝導部は、第２操作部の作動を前記押し込み部材に伝導することができる構造であればよい。実施例に示すリンク構造の他、ギアを介して押し出し部材に伝える構造としてもよい。また、ワイヤーの端部を押し出し部材に接続し、他端を第２操作部に接続してワイヤガイド部に沿って前後方向に移動することができる構造としてもよい。
【００１２】
第２操作部は、前記押し込み部材を前後方向に移動させることのできる構造であればよく、レバー、回転ホイール、ボタンなどを用いることができる。
第２操作部にレバーを用いた場合は、レバーを押し下げると前記第２伝導部が後方に移動し、開封口前方に設けられた押し込み部材が後方へ移動するようにする。第２操作部に回転ホイールを用いた場合は、ラックギアと組み合わせて回転移動を前後方向の移動に変換する。第２操作部にボタンを用いた場合は、ボタンの移動量を１０ミリ程度とし、ボタンを押したときの移動により押し込み部材が後方へ移動するようにギアを用いて移動方向を変換する。
前記第１操作部と前記第２操作部は異種の構造としてもよいが、簡単に操作を行うようにするには、例えば両者ともレバー構造とするなど同種構造とするのが好ましい。また、開封口の閉口動作をスムーズに行うためには第２操作部を操作したときに第１操作部も連動して作動するようにするとよい。
【発明の効果】
【００１３】
この発明において、前記第１操作部を操作すると、前記第１操作部の作動が前記第１操作部と前記保持部材の間に介在する前記第１伝導部を通じて前記保持部材に伝導して前記保持部材が前後方向に移動する。前記保持部材は紙パック開封口の左右両端を保持しているため、前記第１操作部の操作により前記保持部材が後方に移動するときには開封口左右両端が後方に引っ張られ、開封口を左右に広げることができる。開封口左右両端が左右に１８０度以上広げられるところまで保持部材を後方に移動させた後、今度は前方に移動させていくと、開封口に設けられた折目に従って開封口を開口することができる。
【００１４】
この発明において、前記第２操作部を操作すると、前記第２操作部の作動が前記第２操作部と前記開封口押し込み部材の間に介在する前記第２伝導部を通じて前記開封口押し込み部材に伝導して前記開封口押し込み部材が前後方向に移動する。開封口が開口している状態で前記第２操作部を操作して前記押し込み部材を後方に移動させると、前記開封口押し込み部材が開封口を押し込み、開封口に設けられた折り目に従って開封口を閉鎖することができる。
【００１５】
請求項２の発明においては、前記ホルダーに持ち手を配設したので持ちやすくなり、前記持ち手の近くに前記第１操作部及び前記第２操作部を設けたので前記持ち手を持ちながら容易に上記開閉操作ができる。
なお、この発明において「前」とは紙パックの開封口側をいい、「後」とはその反対側をいう。
【発明を実施するための最良の形態】
【００１６】
以下に、最良の形態としての実施例を示す。  
【実施例】
【００１７】
ホルダー部１は、一辺の長さを縦長長方形紙パック３１の短辺の長さと略同じ長さとした枠体とし、前記ホルダー部１の後部（図中右側）両側には第１操作部取り付け部の取り付け片２がそれぞれ突設してあり、ホルダー部１の一側には第２操作部の取り付け片３が突設してあり、中央部には持ち手４が設けてある。前記第１操作部取り付け片２及び第２操作部取り付け片３に第１操作部１０及び第２操作部２０が回動自在に取り付けられている。  
【００１８】
開封口開口手段は、第１操作部１０、第１伝導部１１、開封口左右端部保持部材１２で構成されている。
前記第１操作部１０は、前記２つの取り付け片２にそれぞれアーム１３を回転自在に取り付け、両アーム１３間に軸１４を掛け渡して構成してある。前記アーム１３の上部は屈曲して指掛け部としてある。
なお、取り付け片２は１つとし、軸１４は片持ち状に支持する構造とすることもできる。
前記軸１４には伝導杆１５の基端が回転自在に取り付けてあり、その先端部両側にそれぞれワイヤ１６の基端部が取り付けてある。前記伝導杆１５とワイヤ１６とで第１伝導部１１を構成している。
前記ワイヤ１６の先端には保持部材１２となる係止部材が取り付けてある。この保持部材１２は側面に開封口の側縁に係止する係止溝１７が設けてある。
【００１９】
上記において、ホルダー部１を紙パック３１に装着し、保持部材１２の係止溝１７を開封口３２の両側縁３３に係止させる。
この状態でアーム１３を下方へ動かすと伝導杆１５とワイヤ１６は軸１４に引かれて後方へ移動する。その結果、保持部材１２も後方へ移動し、開封口３２の両側縁３３は後方へ移動する。開封口３２の両側縁が後方へ移動すると、開封口３２は左右方向に広がる。開封口の広がりが１８０度以上になると、折り目に沿って前方に向かって山型になる。次いでアーム１３を原位置に戻すと、伝導杆１５、ワイヤ１６保持部材１２は前方へ移動し、開封口３２の両側縁３３も前方へ移動する。開封口３２の両側縁３３が前方に移動すると開封口３２は開口する。
【００２０】
開封口閉鎖手段は第２操作部２０、第２伝導部２１、開封口押し込み部材２２とからなるものである。
前記ホルダー１の後部一側に設けられた取付片３に後部アーム２４が回動自在に取り付けてあり、前記ホルダー１の前部一側に設けられた取付片２５に前部アーム２６が回動自在に取り付けてあり、前記後部アーム２４の先端と前部アーム２６の先端との間に作動杆２７を掛け渡してリンク構造の第２伝導部２１を構成している。
前記ホルダー１の前部には取付片２５に対向して他の取付片２８が設けてあり、前記取付片２５、２８間に掛け渡した回転軸２９の中央部に押し込み部材２２となる棒状体が取り付けてある。また、前記後部アーム２４の上部は屈曲してレバー２３としてあり、レバー２３と前記後部アーム２４とで第２操作部２０を構成している。
【００２１】
前記レバー２３を引き下げると第２操作部の作動が前記作動杆２７を介して回転軸２９に伝えられ、回転軸２９は回転運動をする。これに伴い、回転軸中央部にに設けられた押し込み部材２２が紙パック方向へ回動し、その端部で開口している開封口を押し込むことができる。
【００２２】
持ち手４は、ホルダー背部に略Ｌ字状の部材が下向きに配設されている。第１操作部及び第２操作部の操作は親指でするのがし易いことから、持ち手４の上方に配設するのが好ましい。
【００２３】
図６，図７は、第２伝導部２１の構造をギア構造とした実施例である。この実施例では第２操作部のレバー２３を操作すると、第２操作部の後部アーム２４に後部アームと共に回動するように連結した第１ギア４１が図中上方向に回動し、第２ギア４２を介して回転軸４３に固定された第３ギア４４に回転運動を伝え、第３ギア４４が回転する。第３ギア４４が回転すると第３ギア４４に固定された回転軸４３もこれに伴って回転する。回転軸４３には押し込み部材２２が設けられており、回転軸が紙パック側に向かって回転するときには、押し込み部材２２が開口している開封口３２を押し込んで、これを閉鎖することができる。
上記以外の構成は図１ないし図５の実施形態と同様である。
【産業上の利用可能性】
【００２４】
この発明の紙パック開封口開閉具は、容易に商品化可能であり、産業上利用し得るものである。
【図面の簡単な説明】
【００２５】
【図１】この発明の実施形態の斜視図
【図２】同じく使用状態を示した図
【図３】同じく開封動作を示した図
【図４】同じく開封状態を示した図
【図５】同じく閉鎖動作を示した図
【図６】この発明の別の実施形態の斜視図
【図７】同じく使用状態を示した図
【符号の説明】
【００２６】
１  ホルダー部
２  第１操作部取付片
３  第２操作部取付片
４  持ち手
１０  第１操作部
１１  第１伝導部
１２  保持部材
１３  アーム
１４  軸
１５  伝導杆
１６  ワイヤ
１７  係止溝
２０  第２操作部
２１  第２伝導部
２２  押し込み部材
２３  レバー
２４  後部アーム
２５  前部取付片
２６  前部アーム
２７  作動杆
２８  前部取付片
２９  回転軸
３１  紙パック
３２  開封口
３３  開封口の両側縁
４１  第１ギア
４２  第２ギア
４３  回転軸
４４  第３ギア
【図１】
2006016054.tif 000003
【図２】
2006016054.tif 000004
【図３】
2006016054.tif 000005
【図４】
2006016054.tif 000006
【図５】
2006016054.tif 000007
【図６】
2006016054.tif 000008
【図７】
2006016054.tif 000009